(57)【要約】  開示した本発明によるコンテンツ露出情報管理システムは、ユーザによる追跡対象となるＷｅｂサイト情報、コンテンツ情報、及び検索条件情報を含む入力情報を受信し、入力情報に応じたコンテンツの追跡結果をユーザに転送するインターフェースモジュール、インターフェースモジュールから入力された入力情報を基にＷｅｂサイト上でコンテンツを検索するＷｅｂコンテンツ検索モジュール、及びＷｅｂコンテンツ検索モジュールによって検索された検索結果画面上において、コンテンツが露出されるページ及び露出ページ上の露出順位を含む露出情報を追跡するコンテンツ露出情報追跡モジュールを含む。これによると、インターネットのショッピングモールやオンラインマーケットプレイスに品物や商品を販売するために登載したユーザ(コンテンツ提供者)は、自分が登載したコンテンツの現在の露出位置、即ちコンテンツに当てはまるキーワードが入力された時に検索結果が表示されるＷｅｂページ上の何番目のページの何番目の順位(ランク、ページ上の行番号を表す)に露出されたかが容易に判断できる。
2012503245.tif 000002
【特許請求の範囲】
【請求項１】
ユーザによる追跡対象となるＷｅｂサイト情報、コンテンツ情報、及び検索条件情報を含む入力情報を受信し、前記入力情報に応じたコンテンツの追跡結果を前記ユーザへ転送するインターフェースモジュールと、
前記インターフェースモジュールから入力された入力情報を基に前記Ｗｅｂサイト上で前記コンテンツを検索するＷｅｂコンテンツ検索モジュールと、
前記Ｗｅｂコンテンツ検索モジュールによって検索された検索結果画面における前記コンテンツの露出ページまたは露出順位を含む露出情報を抽出するコンテンツ露出情報抽出モジュールと、
を含むコンテンツ露出情報管理システム。
【請求項２】
前記コンテンツ検索モジュール及びコンテンツ露出情報追跡モジュールは、既設定の時間を周期として作動することを特徴とする請求項１に記載のコンテンツ露出情報管理システム。
【請求項３】
前記コンテンツ露出情報抽出モジュールによって抽出された前記コンテンツの露出情報が保存されるデータベースモジュールをさらに含むことを特徴とする請求項１に記載のコンテンツ露出情報管理システム。
【請求項４】
前記コンテンツの露出情報が既設定された周期で変化する状態を判断する情報変化判断モジュールをさらに含むことを特徴とする請求項３に記載のコンテンツ露出情報管理システム。
【請求項５】
前記情報変化判断モジュールによって判断されたコンテンツの露出情報の変化状態は、前記インターフェースモジュールによって前記ユーザに転送されることを特徴とする請求項４に記載のコンテンツ露出情報管理システム。
【請求項６】
前記コンテンツ露出情報抽出モジュールによって抽出された前記コンテンツの露出情報が保存されるデータベースモジュールをさらに含むことを特徴とする請求項２に記載のコンテンツ露出情報管理システム。
【請求項７】
前記検索条件はキーワードまたはカテゴリー検索とし、前記Ｗｅｂコンテンツ検索モジュールによる検索結果の整列(sorting)は、ヒット(hit)件数、販売件数、問い合わせ件数及び購買感想件数を含む集合から選択されることを特徴とする請求項１〜６のいずれかに記載のコンテンツ露出情報管理システム。
【請求項８】
追跡対象となるＷｅｂサイト情報、コンテンツ情報、及び検索条件情報を含む入力情報が入力される情報入力段階と、
前記の情報入力段階で入力された入力情報を基に前記Ｗｅｂサイトで前記コンテンツが検索されるコンテンツ検索段階と、
前記のコンテンツ検索段階で検索された検索結果画面における前記コンテンツの露出ページまたは前記露出ページ上の露出順位を含む露出情報が抽出される露出情報抽出段階と、
前記の露出情報抽出段階で抽出された露出情報が表示される露出情報表示段階と、
を含むコンテンツ露出情報管理の方法。
【請求項９】
前記コンテンツ検索段階と露出情報抽出段階は、既設定された周期で行われることを特徴とする請求項８に記載のコンテンツ露出情報管理の方法。
【請求項１０】
前記の露出情報抽出段階で追跡された露出情報を保存する露出情報保存段階をさらに含むことを特徴とする請求項８に記載のコンテンツ露出情報管理の方法。
【請求項１１】
前記露出情報が既設定された周期で変化される状態を判断する露出情報変化判断段階をさらに含むことを特徴とする請求項１０に記載のコンテンツ露出情報管理の方法。
【請求項１２】
前記露出情報表示段階は、前記の露出情報変化判断段階で判断された露出情報変化状態を表示することを特徴とする請求項１１に記載のコンテンツ露出情報管理の方法。
【請求項１３】
前記の露出情報抽出段階で抽出された露出情報が保存される露出情報保存段階をさらに含むことを特徴とする請求項９に記載のコンテンツ露出情報管理の方法。
【請求項１４】
前記検索条件はキーワードまたはカテゴリー検索、及び検索結果の整列(sorting)方法を含み、前記整列方法はヒット(hit)件数、販売件数、問い合わせ件数及び購買感想件数を含む集合から選択されることを特徴とする請求項８〜１３のいずれかに記載のコンテンツ露出情報管理の方法。
【発明の詳細な説明】
【技術分野】
【０００１】
本発明は、コンテンツ露出情報管理システム及び方法に関するものであり、より具体的には特定のコンテンツ販売者や提供者のようなユーザが特定のコンテンツを検索する際、検索結果のＷｅｂページ上のどこで露出されているかを追跡するシステム及び方法に関するものである。
【背景技術】
【０００２】
今はコンピュータ技術と通信技術の発達により、世界中がひとつのネットワークで急速に繋がりつつあり、このようなネットワーク(インターネット)によって従来のオフラインネットワークがオンラインネットワークにとって代わりつつある。
その中の一つがオフライン市場である。例えば、街角の市場、スーパーマーケット、デパート、及び量販店といった従来のオフラインネットワークを通じた物の販売または購買の形態が、オンラインネットワークを通じた物の販売または購買の形態と併用されたり、代替されていっている。
【０００３】
即ち、買い手が市場、スーパーマーケット、デパート、及び量販店を直接訪問して販売者と直接対面して物を購買していた従来のオフラインネットワークから、購買者が楽に椅子に座ってコンピュータの画面を見ながら必要なものを購買できるオンラインネットワークに急速に切り替わっていっているのである。
しかし、そのネットワークの属性だけが変わっただけであり、品物の販売や購買(需要と供給)に対する基本的な属性には変化はなく、従来のオフラインネットワークにおいても販売者は他の販売者と区別されたり、識別力を上げたりする目的で売場の看板を大きくしたり、外部と内部のインテリアを特化したりするなどの差別化を図っていたのと同様に、オンライン市場においても販売者(コンテンツ提供者)は他の販売者との差別化を図るための様々な形のマーケティングを行っている。
【０００４】
このようなオンラインネットワークにおけるマーケティング、即ち他のコンテンツ提供者と区別するために、ポータルサイト、オンラインショッピングモール、及びオンラインマーケットプレイスのＷｅｂ画面上にバナー広告を配置するマーケティング方法が提供された。しかし、これらのバナー広告は単に見せるだけであり、バナー広告が訪問者に露出されたか、どれくらい効果的なのかについてそれを客観的に確認することができないとの問題があった。
【０００５】
これに代わって、キーワード検索が提供されたポータルサイト、オンラインショッピングモール、及びオンラインマーケットプレイスで訪問者(購買者)は自分が買いたい品物や商品（以下、「コンテンツ」と称する）に関するキーワードを入力し、入力されたキーワードに該当する検索結果がＷｅｂページ上に表示されると、それを見ながら目的のコンテンツのイメージをクリックすることで、購買者に露出されたかが客観的に把握できるようになった。
【０００６】
より具体的に見ると、品物や商品の販売者（以下、「コンテンツ提供者」と称する）は自分が販売しようとするコンテンツをオンラインショッピングモールやオンラインマーケットプレイスなどに登載し、登載されたコンテンツのマーケティングのために特定のキーワードで検索されるようにキーワードを指定しておくと、物品や商品の購買者（以下、「コンテンツ購買者」と称する）はオンラインショッピングモールやオンラインマーケットプレイスのサイトを訪問し、自分が購買しようとするコンテンツを表せるキーワードをキーワードウィンドウに入力して検索し、画面上の検索結果を見ながらコンテンツの購買を決定するようになる。
【０００７】
そのとき、コンテンツ購買者は通常的に主に検索結果画面の最初のページだけを確認し、その後のページへの関心度は著しく低下し、同じページでも上位順位のコンテンツに対する関心度は下位順位のコンテンツに対する関心度に比べ格段に高い。
このようなキーワード検索方式の特性上、コンテンツの販売者は他のコンテンツ提供者との差別化を図るために自分のコンテンツが検索結果の上位に露出されることを望み、該当コンテンツがキーワード検索でよく露出されるよう、複数のキーワードを設定しておき、継続してキーワードウィンドウに自分の設定したキーワードを入力して自分が提供するコンテンツが上位に露出されているかまたは露出されていっているかを把握する必要があった。
【０００８】
複数キーワードのうちどのキーワードがだんだん上位ページまたは上位順位に露出されていっているかを判断し、効果的に露出されないキーワードは購買者の関心度が低下するので、効果的に露出されているキーワードだけを重点的に管理することで、管理の効率性を上げる必要があり、コンテンツ提供者の提供するコンテンツが複数ある場合は、どのコンテンツの露出順位が高いか、販売量が増えてきているかを把握する必要がある。
【０００９】
ところが、従来はキーワード管理またはコンテンツ管理のためには、コンテンツ提供者が複数のキーワードを一々キーワードウィンドウに入力した後、検索結果画面を確認しながら自分の提供するコンテンツが検索結果画面上のどのページに露出されるか、何番目に露出されているかを一々目で確認しければならない不便があった。最近はコンテンツ提供者の提供するコンテンツが多様化されているのを見ると、これらを管理することが不可能だと言えるほど問題が大きくなってきている。
【発明の概要】
【発明が解決しようとする課題】
【００１０】
本発明は、上記のような従来の問題を解決するために創案されたものであり、ポータルサイト、オンラインショッピングモールまたはオンラインマーケットプレイスでコンテンツ提供者が容易にコンテンツへの対応キーワード及びコンテンツを管理できるコンテンツ露出情報管理システム及び方法を提供することに目的がある。
【課題を解決するための手段】
【００１１】
本発明の望ましい実施例によるコンテンツ露出情報管理システムは、ユーザによる追跡対象となるＷｅｂサイト情報、コンテンツ情報、及び検索条件情報を含む入力情報を受信し、上記入力情報に応じたコンテンツの追跡結果を上記ユーザに転送するインターフェースモジュール、上記インターフェースモジュールから入力された入力情報を基に上記Ｗｅｂサイト上で上記コンテンツを検索するＷｅｂコンテンツ検索モジュール、及び上記Ｗｅｂコンテンツ検索モジュールによって検索された検索結果画面上における上記コンテンツが露出されるページ及び上記露出ページ上の露出順位を含む露出情報を追跡するコンテンツ露出情報追跡モジュール、を含む。
【００１２】
これにより、インターネットのショッピングモールやオンラインマーケットプレイスに品物や商品を販売するために登載したユーザ(コンテンツ提供者)は、自分が登載したコンテンツの現在の露出位置、即ちコンテンツに当てはまるキーワードが入力された時に検索結果が表示されるＷｅｂページ上の何番目のページの何番目の順位(ランク、ページ上の行番号を表す)に露出されたかが容易に判断できる。
【００１３】
ここで、上記コンテンツ検索モジュール及びコンテンツ露出情報追跡モジュールは、既設定の時間を周期として作動するのが望ましい。
これで、一日または時間を基準としたり、既設定された周期によって周期的にコンテンツの露出ページ数と順位を追跡することによって、コンテンツに該当するキーワードの検索結果が整列(sorting)されて表示されるＷｅｂページ上で、どれくらい効果的に管理されているかまたは露出されているかが容易に判断できる。
【００１４】
また、上記コンテンツ露出情報追跡モジュールによって追跡された上記コンテンツの露出情報が保存されるデータベースモジュール、をさらに含む方が望ましい。
これで、周期的に過去の露出情報(露出ページ数または露出順位)が順次的に保存されて、該当コンテンツの履歴が容易に管理でき、露出情報が効果的に表示される、即ち上位ページまたは上位順位に露出されるキーワードに対してより攻撃的なマーケティングができる。即ち、一つのコンテンツに対し、これを表すキーワードまたはカテゴリーが複数存在することがあり、複数のキーワードまたはカテゴリーのうち上位ページまたは上位順位に露出される可能性のあるーワードを容易に把握して重点的に管理できる。
【００１５】
また、本発明の望ましい実施例によると、上記コンテンツの露出情報が既設定された周期で変化する状態を判断する情報変化判断モジュール、をさらに含む。
これで、現在の露出ページまたは露出順位が過去の露出ページまたは露出順位に比べ上がっているかそれとも下がっているかを判断し、順位が上がっているコンテンツに対するキーワードまたはカテゴリーに重点的にマーケティング力を集中させることができ、逆に順位が下がっている場合は、キーワードまたはカテゴリーの変更、価額の引き下げ、プロモーションなどを通じて競争力を高めることができる。
【００１６】
また、上記情報変化判断モジュールによって判断されたコンテンツの露出情報の変化状態は、上記インターフェースモジュールによって上記ユーザに出力されるのが望ましい。
これにより、該当コンテンツに対するキーワードまたはカテゴリーの露出ページまたは露出順位が上がっているかそれとも下がっているかをグラフや図で示し、ユーザにとって戦略的な資料に活用できるツールとして提供できる。
【００１７】
このとき、上記検索条件はキーワードまたはカテゴリー検索とし、上記Ｗｅｂコンテンツ検索モジュールによる検索結果の整列(sorting)は、ヒット(hit)件数、販売件数、問い合わせ件数及び購買感想件数を含む集合から選択されるのが望ましい。
これで、ユーザの目的に合った、即ちコンテンツに当てはまる複数あるキーワードのうちどんなキーワードが多くヒットまたはクリックされるか(そのキーワードに対するマーケティングの強化)、複数あるコンテンツのうちどんなコンテンツが多く販売されているか(そのコンテンツに対するマーケティングの強化)、コンテンツ購買者から該当コンテンツに対する問い合わせが多いか(そのコンテンツに対する使用説明書の補強など)、コンテンツ購買者からの購買感想が多いコンテンツ(そのコンテンツに対する需要者のニーズ分析及び人気度判断)はどれなのかが即時に判断できる。
【００１８】
一方、本発明の望ましい実施例によるコンテンツ露出情報の追跡方法は、追跡対象となるＷｅｂサイト情報、コンテンツ情報、及び検索条件情報を含む入力情報が入力される情報入力段階、上記の情報入力段階で入力された入力情報を基に上記Ｗｅｂサイトで上記コンテンツが検索されるコンテンツ検索段階、上記のコンテンツ検索段階で検索された検索結果画面における上記コンテンツの露出ページまたは上記露出ページ上の露出順位を含む露出情報が追跡される露出情報追跡段階、及び上記の露出情報追跡段階で追跡された露出情報が表示される露出情報表示段階、を含む。
【００１９】
これで、インターネットのショッピングモールやオンラインマーケットプレイスに品物や商品を販売するために登載したユーザ(コンテンツ提供者)は、自分が登載したコンテンツの現在の露出位置、即ちコンテンツに当てはまるキーワードが入力された時に検索結果が表示されるＷｅｂページ上の何番目のページの何番目の順位(ランク、ページ上の行番号を表す)に露出されたかが容易に判断できる。
【００２０】
ここで、上記のコンテンツ検索段階と露出情報追跡段階は、既設定された周期で進行するのが望ましい。
これで、一日または時間を基準としたり、既設定された周期によって周期的にコンテンツの露出ページ数と順位を追跡することによってコンテンツに該当するキーワードの検索結果が整列(sorting)されて表示されるＷｅｂページ上で、どれくらい効果的に管理されているかまたは露出されているかが容易に判断できる。
【００２１】
また、本発明の望ましい実施例によると、上記の露出情報追跡段階で追跡された露出情報を保存する露出情報保存段階、をさらに含む。
これで、周期的に過去の露出情報(露出ページ数または露出順位)が順次的に保存されて、該当コンテンツの履歴が容易に管理でき、露出情報が効果的に表示される、即ち順位が上がっているコンテンツに対するキーワードまたはカテゴリーに重点的にマーケティング力を集中させることができ、逆に順位が下がっている場合はキーワードまたはカテゴリーの変更、価額の引き下げ、プロモーションなどを通じて競争力を高めることができる。
【００２２】
また、上記の露出情報が既設定された周期で変化される状態を判断する露出情報変化判断段階、を含むのが望ましい。
これで、現在の露出ページまたは露出順位が過去の露出ページまたは露出順位に比べ上がっているかそれとも下がっているかを判断し、順位が上がっているコンテンツに対するキーワードまたはカテゴリーを重点的にマーケティングに利用できる。
【００２３】
また、上記露出情報表示段階は、上記の露出情報変化判断段階で判断された露出情報変化状態を表示するのが望ましい。
これで、該当コンテンツに対するキーワードまたはカテゴリーの露出ページまたは露出順位が上がっているかそれとも下がっているかをグラフや図で示し、ユーザが直観的にそれを判断できるようにする。
【００２４】
このとき、上記検索条件はキーワードまたはカテゴリー検索、及び検索結果の整列(sorting)方法を含み、上記整列方法はヒット(hit)件数、販売件数、問い合わせ件数及び購買感想件数を含む集合から選択されるのが望ましい。
これで、ユーザの目的に合った、即ちコンテンツに当てはまる複数あるキーワードのうちどんなキーワードが多くヒットまたはクリックされるか(そのキーワードに対するマーケティングの強化)、複数あるコンテンツのうちどんなコンテンツが多く販売されているか(そのコンテンツに対するマーケティングの強化)、コンテンツ購買者から該当コンテンツに対する問い合わせが多いか(そのコンテンツに対する使用説明書の補強など)、コンテンツ購買者からの購買感想が多いコンテンツ(そのコンテンツに対する需要者のニーズ分析及び人気度判断)はどれなのかが即時に判断できる。
【発明の効果】
【００２５】
以上で説明した本発明によると、インターネットのショッピングモールやオンラインマーケットプレイスに品物や商品を販売するコンテンツ提供者は、自分が登載したコンテンツの現在の露出位置、即ちコンテンツに当てはまるキーワードが入力された時に検索結果が、表示されるＷｅｂページ上の何番目のページの何番目の順位(ランク、ページ上の行番号が表せる)に露出されたかを容易に判断できる。
【００２６】
また、月単位、週単位、日単位、時間単位を基準としたり、既設定された周期によって周期的にコンテンツの露出ページ数と順位を追跡することによって、コンテンツに該当するキーワードの検索結果が整列(sorting)されて表示されるＷｅｂページ上で、どれくらい効果的に管理されているかまたは露出されているかが容易に判断できる。
また、周期的に過去の露出情報(露出ページ数または露出順位)が順次的に保存されて、該当コンテンツの履歴が容易に管理でき、露出情報が効果的に表示される、即ち上位ページまたは上位順位に露出されるキーワードに対してより攻撃的なマーケティングができる。
【００２７】
また、一つのコンテンツに対し、これを表すキーワードまたはカテゴリーが複数存在することがあり、複数のキーワードまたはカテゴリーのうち上位ページまたは上位順位に露出される可能性のあるキーワードを容易に把握して重点的に管理できる。
また、現在の露出ページまたは露出順位が過去の露出ページまたは露出順位より順位が上がっているか順位が下がっているかを容易に判断し、順位が上がっているコンテンツに対するキーワードまたはカテゴリーに重点的にマーケティング力を集中させることができ、逆に順位が下がっている場合はキーワードまたはカテゴリーの変更、価額の引き下げ、プロモーションなどを通じて競争力を高めることができる。
【００２８】
また、該当コンテンツに対するキーワードまたはカテゴリーの露出ページまたは露出順位が上がっているかそれとも下がっているかをグラフや図で示し、ユーザが直観的にそれを判断できるようにする。
また、コンテンツ提供者の目的に合った、即ちコンテンツに当てはまる複数あるキーワードのうちどんなキーワードが多くヒットまたはクリックされるか(そのキーワードに対するマーケティングの強化)、複数あるコンテンツのうちどんなコンテンツが多く販売されているか(そのコンテンツに対するマーケティングの強化)、コンテンツ購買者から該当コンテンツに対する問い合わせが多いか(そのコンテンツに対する使用説明書の補強など)、コンテンツ購買者からの購買感想が多いコンテンツ(そのコンテンツに対する需要者のニーズ分析及び人気度判断)はどれなのかが即時に判断できる。
【図面の簡単な説明】
【００２９】
【図１】本発明の望ましい実施例によるコンテンツ露出情報管理システムを示したブロック図。
【図２】図１に示したコンテンツ露出情報管理システムと他のネットワークとの連結関係を説明するためのブロック図。
【図３】図１に示したコンテンツ露出情報管理システムによってコンテンツの露出情報を説明するための図面。
【図４】図１に示したコンテンツ露出情報管理システムによってコンテンツの露出情報を説明するための図面。
【図５】図１に示したコンテンツ露出情報管理システムによってコンテンツの露出情報を説明するための図面。
【図６】図１に示したコンテンツ露出情報管理システムによってコンテンツが管理される仕組みを説明するための図面。
【図７】図１に示したコンテンツ露出情報管理システムによってコンテンツが管理される仕組みを説明するための図面。
【図８】図１に示したコンテンツ露出情報管理システムによってコンテンツが管理される仕組みを説明するための図面。
【図９】本発明の望ましい実施例によるコンテンツ露出情報管理の方法を説明するためのフロー図。
【発明を実施するための形態】
【００３０】
以下、添付された図面を参照して、本発明の望ましい実施例によるコンテンツ露出情報管理システムについて説明する。
図１は、本発明の望ましい実施例によるコンテンツ露出情報管理システムを概略的に示したブロック図、図2は図１に示したコンテンツ露出情報管理システムとインターネット網が連結される構成を説明するためのブロック図である。
【００３１】
図１と図2を参照すると、本発明の望ましい実施例によるコンテンツ露出情報管理システム(100)は、インターフェースモジュール(101)、Ｗｅｂコンテンツ検索モジュール(103)、コンテンツ露出情報抽出モジュール(105)及びデータベースモジュール(107)を含む。
インターフェースモジュール(101)は、物品や商品をオンラインショッピングモール、オンラインマーケットプレイス、及びポータルサイトに登載して販売しようとするコンテンツ提供者(ユーザ)と本システム(100)と媒介するものであり、コンテンツ提供者が自ら管理しようとするコンテンツに対する情報、検索条件及びＷｅｂサイト情報を含む入力情報をコンテンツ提供者端末機(200)から入力すると、これを受信して処理されるようにし、後述するコンテンツ露出情報抽出モジュール(105)で処理された露出情報をコンテンツ提供者端末機(200)へ転送する。
【００３２】
このとき、コンテンツ情報としては物品名や商品名、商標、大きさ、色などの詳細特長を表す情報を含むことができ、検索条件としてはコンテンツに対するキーワードまたはコンテンツが分類できるカテゴリーを含むことができる。例えば、バッグというコンテンツに対して商標、小型、青色などのコンテンツ情報が入力され、キーワードには商標、ブックバッグ、バッグ、財布などが入力できる。また、Ｗｅｂサイト情報としてはオンラインショッピングモールやオンラインマーケットプレイスのＷｅｂサイトドメインが入力できる。
【００３３】
Ｗｅｂコンテンツ検索モジュール(103)は、インターフェースモジュール(101)を通じて入力情報を受信すると、入力情報のうちＷｅｂサイト情報を分析して該当Ｗｅｂサイトの検索エンジン(300)で入力情報を検索し、検索結果情報を抽出する。
コンテンツ露出情報抽出モジュール(105)は、Ｗｅｂコンテンツ検索モジュール(103)から抽出された検索結果から入力情報に該当するコンテンツの露出情報を抽出する。このとき、露出情報として検索結果Ｗｅｂ画面上の何番目のページに露出されているかまたは露出順位(ランク)が抽出される。
【００３４】
例えば、コンテンツ提供者(システムユーザ)が販売しようとするコンテンツはバッグで、キーワードは「aa」商標を表す「aa」が入力された場合、特定のオンラインマーケットプレイスの検索エンジン(300)によって抽出された検索結果リストは、検索者が検索端末機(400)でオンラインマーケットプレイスのキーワードウィンドウにキーワードを入力して(図３のA)検索した結果リストと同じ情報が抽出され、ここには他のコンテンツ提供者が登載したコンテンツも検索され、複数の検索結果画面が図４のBと同じく表示される。
【００３５】
多くの検索結果画面でコンテンツ提供者(ユーザ)の販売コンテンツが、例えば、露出ページが5ページ(図５のC)にある場合、従来はこれを一々記憶したり手入力したりして管理しなければならない不便があった。また、手動で一々次のページに進みながら自分のコンテンツを確認しなければならない不便があったが、本発明では「aa」というキーワードが入力された場合、特定の日付及び時間に5ページに露出されているとの履歴が自動的に管理される。
【００３６】
一方、露出ページでコンテンツの履歴を管理することができるが、全体の露出順位(ランク)で管理しても構わない。即ち、「aa」というキーワードが入力され全100件の検索結果が出た場合、コンテンツ提供者の登載したコンテンツがそのうち何番目に露出されたかを管理することができる。
このようにコンテンツ提供者は、特定のオンラインマーケットプレイスに登載した自分のコンテンツが現在どのページまたは何番目に露出されているかが即時に判断でき、自分の登載したコンテンツが複数ある場合や複数のコンテンツに対して複数のキーワードが入力された場合でも容易に露出情報が管理できる。
【００３７】
また、本発明の望ましい実施例によると、このようなコンテンツ管理や該当コンテンツの露出情報を管理及び履歴管理するため、設定済みの時間を周期にして周期的にＷｅｂコンテンツ検索モジュール(103)とコンテンツ露出情報抽出モジュール(105)が駆動し、検索結果から露出情報を取得する。これで、過去の露出情報と現在の露出情報を得ることができ、該当コンテンツの露出順位が上がっているかそれとも下がっているかを判断できる基礎になる。
【００３８】
そのため、本発明の望ましい実施例によると、コンテンツの露出情報が保存されるデータベースモジュール(107)をさらに含み、コンテンツ露出情報が既設定された周期で変化される状態を判断する情報変化判断モジュール(109)を含む。
即ち、情報変化判断モジュール(109)は、t-T(周期)、t及びt+T(周期)の時間で露出情報を相互比較し、露出ページが上位ページに変化しているか下位ページに変化しているか、露出順位(ランク)が上位ランクに変化しているか下位ランクに変化しているかを判断する。
【００３９】
例えば、コンテンツ「バッグ」に対するキーワードを「aa」にした場合「aa」に対するキーワードで検索されるコンテンツ提供者のバッグというコンテンツに対する露出ページ(露出ランク)が図６に示した通りだんだん上位に変化している場合と、同じくコンテンツ「バッグ」に対するキーワードを「bb」にした場合「bb」に対するキーワードで検索されるコンテンツ提供者のバッグというコンテンツに対する露出ページ(露出 ランク)が図７に示した通りだんだん下位に変化している場合や、図８に示した通り下位で変化がない場合、コンテンツ提供者はマーケティングにキーワード「aa」をもっと利用する必要があることを直ちに判断できる。
【００４０】
上記では、一つのコンテンツに対するキーワードを2つだけ想定して例を挙げているが、複数のコンテンツとそれに応じたコンテンツに対するキーワードがより多い場合、従来はコンテンツやキーワードの管理が難しかったが、本発明によると直ちにこれが判断できるので、不要なキーワードは削除し、上昇気味のキーワードだけを集中的に管理すると、他のコンテンツ提供者より競争優位を確保することができる。
【００４１】
本発明の説明において、コンテンツと該当コンテンツに対するキーワードをマッチングして説明したが、キーワードの代わりにコンテンツを分類するカテゴリーを用いても同様である。
このとき、本発明の望ましい実施例によると、コンテンツ提供者がこのような変化状態を視覚的に直ちに認知できるよう、図６乃至図８のようにグラフ化してコンテンツ提供者に出力するため、インターフェースモジュール(101)を通じてコンテンツ提供者端末機(200)へ転送する。
【００４２】
一方、コンテンツ露出情報抽出モジュール(105)は、コンテンツ提供者端末機(200)から入力された入力情報のうち、入力条件に整列方法が入力されるのが望ましく、整列方法としては該当コンテンツのヒット(hit)件数、販売件数、問い合わせ件数または購買感想件数で並べ替えることができる。それぞれに応じて同一のキーワードやコンテンツといっても露出ページや露出順位が異なることがあり、またその結果に対する解釈も異なることがある。
【００４３】
例えば、ヒット件数はコンテンツ購買者(購買予定者)が検索結果画面で該当コンテンツをクリックしたことを示すものであり、一種の人気度が推測でき、販売件数は実際に販売された件数を示すものなので、人気度または売上の推移が判断でき、問い合わせ件数は該当コンテンツに対するコンテンツ購買者からの問い合わせの多少を判断するものであり、該当コンテンツに対する説明書を補強したり、定型化されたQ&Aを提供したりするなどの対処ができる。また、感想件数はコンテンツが実際に販売されたことを前提とするので、コンテンツに対する人気度だけではなくコンテンツ購買者のニーズを分析してマーケティングに利用することもできる。
【００４４】
このように、本発明により、コンテンツ提供者は、自分が特定サイトに登載したコンテンツやコンテンツに対する露出情報を簡単に認知できるので、マーケティングや特定のコンテンツに対するトレンドが把握でき、その先戦略的に取り扱うコンテンツを選択できる。例えばバッグというコンテンツは露出順位が上位にあって人気度や販売が好調を見せている(図６)反面、書籍というコンテンツは露出順位がほぼ下位にある場合(図７)(図８)、戦略的にバッグというコンテンツ中心に販売戦略を立てるのが有利なので、これを自動的に便利に認識できるようにし、コンテンツ提供者は他のコンテンツ提供者より競争優位に立つことができる。
【００４５】
一方、図９は本発明の望ましい実施例によるコンテンツ露出情報の抽出方法を示したフロー図である。以下では図９を参照しながら本発明の望ましい実施例によるコンテンツ露出情報の追跡方法を説明する。
本発明の望ましい実施例によるコンテンツ露出情報の抽出方法は、コンテンツに対する入力情報が入力される情報入力段階(S110)、入力された情報に対応してコンテンツが検索されるコンテンツ検索段階(S120)、検索結果からコンテンツの露出情報を抽出する露出情報抽出段階(S150)、及び抽出された露出情報が表示される露出情報表示段階(S180)を含む。
【００４６】
情報入力段階(S110)はユーザ(コンテンツ提供者)がコンテンツ提供者端末機(200)から自分が管理しようとするコンテンツに対する情報を入力する段階であり、コンテンツに対する入力情報は、コンテンツを販売しようとするオンラインショッピングモールやオンラインマーケットプレイスのＷｅｂサイト情報、コンテンツ情報及び検索条件を含む。コンテンツ情報としては物品名や商品名、商標、色、大きさなどを含むことができ、検索条件としてはキーワード検索かまたはカテゴリー検索かに対する設定及び整列方法に対する設定を含むことができ、整列方法は検索結果を整列(sorting)するため、コンテンツに対するヒット(hit)件数、販売件数、問い合わせ件数及び購買感想件数などで整列でき、整列方法によってコンテンツの露出情報が異なり、それに合わせて以降のマーケティング戦略が設定できる。
【００４７】
その後、情報入力段階(S110)で入力された入力情報のうち、Ｗｅｂサイトに対する情報を選択して(S120)、選択されたＷｅｂサイトに該当するオンラインショッピングモールやオンラインマーケットプレイスで入力情報を基にコンテンツを検索する(S120)。
コンテンツ検索段階(S120)で入力されたＷｅｂサイトの検索エンジン(300)からコンテンツ情報に該当するキーワードで検索結果を抽出し、抽出された検索結果を入力された整列方法で整列した後(S140)、コンテンツ提供者のコンテンツが整列された検索結果画面上で何番目のページに露出されるかまたは何番目の順位(ランク)で露出されるかを抽出する(S150)。
【００４８】
その後、抽出された露出情報がコンテンツ提供者端末機(200)に提供される。コンテンツ提供者は、図３の通り「バッグ」というキーワード(A)で入力情報が入力されたら、図４のように全体「バッグ」というキーワードで検索された結果(B)が提供され、図５の通り5ページに本人のコンテンツが露出された(C)を自動的認知できるようになる。
本発明の望ましい実施例によると、このような一連の過程は一定の周期で繰り返し実行され、このような露出情報が既設定された周期で変化される状態を判断する露出情報変化判断段階(S170)を含む。
【００４９】
これで、現在自分のコンテンツがどこに露出されているかだけではなく、過去そのコンテンツがどこに露出されていたかを認知することができ、コンテンツの露出がどのように進行しているかが判断できる。さらに望ましくこれらの露出情報がどのように変化されているかを視覚的に即刻認知できるよう露出情報の変化状態を表示する。
図６乃至図８は、これを簡単に例示したものであり、図６に示した通り該当コンテンツの露出がだんだん上位に露出されているか、図７に示した通り該当コンテンツの露出がだんだん下位に下がっていっているか、図８に示した通り該当コンテンツの露出に変化がないかを視覚的に認知でき、図６に示したコンテンツに対してより攻撃的または積極的に販売またはマーケティングの強化戦略を立てることができる。
【００５０】
このとき、露出情報の変化状態は月単位、周単位または時間単位で判断できるように設定できる。
また、このようなコンテンツの履歴が管理できるよう、露出情報抽出段階(S150)で抽出されたコンテンツに対する露出情報は保存されるのが望ましい(S160)。
以上、本発明の望ましい実施例に対する図示をもって説明したが、本発明は上述の実施例に限らず、特許請求の範囲を外れることなく本発明の属する技術分野において通常の知識を有した人であれば誰でも多様な修正と変形実施ができると言える。
【図１】
2012503245.tif 000003
【図２】
2012503245.tif 000004
【図３】
2012503245.tif 000005
【図４】
2012503245.tif 000006
【図５】
2012503245.tif 000007
【図６】
2012503245.tif 000008
【図７】
2012503245.tif 000009
【図８】
2012503245.tif 000010
【図９】
2012503245.tif 000011
【国際調査報告】
2012503245.tif 000012
2012503245.tif 000013
2012503245.tif 000014
2012503245.tif 000015